(57)【要約】【課題】遊技機を遊技機島に取付けるにあたり、遊技機に備えられた装着枠の上面を押圧して取付けする場合、装着枠の上面と遊技機島の上架板の間の間隙は僅かであるため、この上架板に穴を穿けるかもしくは後端部を切欠いて押圧部材を通過させる必要があり、工事が困難で、また遊技機島の構造強度が損なわれる原因となっていた。【解決手段】遊技機の装着枠の上面と遊技機島の上架板との設計間隔は３ミリ〜４ミリであり、この間隙に弾性板よりなる押圧板を配置して、この押圧板の後端側を支点として前端部を降下して装着枠の上面を押圧して遊技機を遊技機島に取付けする。【選択図】図５
2012232086.tif 000002
【特許請求の範囲】
【請求項１】
遊技機島の上架板と下架板間の区画内に遊技機を配置して、遊技機に備えられた装着枠の枠上板の上面を押圧して遊技機を遊技機島に取付ける遊技機の取付け装置であり、遊技機を遊技機島の区画内の下架板上に載置した状態で、遊技機島の上架板と遊技機の装着枠の枠上板との間隙内に設けた押圧板と、この押圧板の後端側を支点として先端部を降下する押圧手段と、遊技機の装着枠の枠上板の後端部に当接して遊技機の後方への移動を規制する規制手段とで構成し、押圧手段を操作して押圧板で遊技機の装着枠の枠上板を押圧して遊技機を遊技機島に固定することを特徴とする遊技機の取付け装置。
【請求項２】
上記の押圧板は、弾性板としたことを特徴とする請求項１に記載の遊技機の取付け装置。
【請求項３】
上記の押圧板は、押圧面に滑り止めを設けたことを特徴とする請求項１と請求項２に記載の遊技機の取付け装置。
【請求項４】
上記の押圧板は、先端部の下面をテーパー状としたことを特徴とする請求項１と請求項２および請求項３に記載の遊技機の取付け装置。
【請求項５】
上記の押圧手段は、上下位置調整手段を介在して押圧板に係合し、押圧板は遊技機島の上架板と遊技機の装着枠の枠上板との間隙内で上下位置を調整自在としたことを特徴とする請求項１に記載の遊技機の取付け装置。
【請求項６】
上記の押圧板は、先端部を遊技機島の上架板の下面に弾機的に当接した状態で、遊技機の遊技機島への取付けの待機をするようにしたことを特徴とする請求項１と請求項２と請求項４および請求項５に記載の遊技機の取付け装置。
【請求項７】
上記の押圧手段は、遊技機島の上架板の上面に固定したケース本体と、ケース本体に枢着し下端部を押圧板の後端に設けた支点部材に係合した腕板と、ケース本体に回転自在に架設し腕板の上端部と係合するナット部材を螺合し一端部に操作部を形成した螺子とで構成し、操作部を回転し押圧板の先端部を降下して遊技機を遊技機島に固定することを特徴とする請求項１に記載の遊技機の取付け装置。
【請求項８】
上記の押圧手段は、遊技機島の上架板の上面に固定したケース本体と、ケース本体に枢着し下端部を押圧板の後端に設けた支点部材に係合した腕板と、ケース本体に軸方向に弾機的にスライド自在に架設し腕板の上端部と係合する係合部を備え一端部にはカムローラーを回転自在に設けたスライドシャフトと、前記カムローラーに係合し操作部を備えたカムとで構成し、操作部を上下し押圧板の先端部を降下して遊技機を遊技機島に固定することを特徴とする請求項１に記載の遊技機の取付け装置。
【請求項９】
上記の操作部は、遊技機島の前面で開閉板を有する点検開口部に臨ませたことを特徴とする請求項７および請求項８に記載の遊技機の取付け装置。
【請求項１０】
上記の操作部は、遊技機島の前面板に開口を形成して、この開口より操作するようにしたことを特徴とする請求項７に記載の遊技機の取付け装置。
【請求項１１】
上記の規制手段は、遊技機の前後方向に移動自在として遊技機の傾きを調節できるようにしたことを特徴とする請求項１に記載の遊技機の取付け装置。
【発明の詳細な説明】
【技術分野】
【０００１】  この発明は、パチンコ台などの遊技機を遊技機島に取付ける遊技機の取付け装置に関する。
【背景技術】
【０００２】  パチンコ台などの遊技機１は、図２で示したように裏側に設けた矩形の装着枠２にヒンジ構造３によって開閉自在および取外し自在に取付けられており、遊技機１を図１で示した遊技機島４に取付ける場合、装着枠２を外して遊技機島４の上架板５と下架板６と縦部材７とで形成された区画Ｃ内に配置し、この装着枠２の枠上板８と枠下板を９をビス等で止着したり、専用の取り付け器具で固定した状態で遊技機１をヒンジ構造３を介して装着枠２に取付け、遊技機１を遊技機島４に閉じて使用に供する。【０００３】  上記の遊技機の取付け作業は、営業時間の終了後の深夜に行われるものであるため短時間でできることが望ましいものであるが、遊技機より装着枠を外し、装着枠を遊技機島に取付け、そしてこの装着枠に遊技機を取付けるような煩雑な作業は短時間ではできなかった。また遊技機の装着枠の取付けはビス等で止着するか、もしくは専用の取付け器具によって行われ、ビス等で止着する場合は遊技機島を損傷して確実に固定されない場合があり、専用の取り付け器具を利用した場合は装着枠の枠上板を下側より挟んだり、また枠上板の前後端を挟み込んだりするものであり、遊技機の高重量（２０ｋｇ程度以上）に起因して緩みやガタ付きが生じ易く遊技機の固定に信頼性がなかった【０００４】  これらの問題点を解消するために、遊技機を遊技機島に取付けるにあたり、装着枠に遊技機が装着された一体の状態で区画に配置して、遊技機島の上架板の上方から押圧部材で装着枠の枠上板を押圧して固定する装置が提案されている。（特許文献１、特許文献２、特許文献３、特許文献４）また、装着枠は遊技機より取外し分離して取付けをするが取付けにビス等を使用しないものとして（特許文献５）が提案されている。【０００５】  押圧部材で、遊技機島の上架板の上方から装着枠の枠上板を押圧して固定する場合、現実店舗での遊技機島に於いては木製の上架板を通過させるための通過穴を加工形成しなければならない。（特許文献３）また、遊技機の性能を確認するテスト島に於いては、上架板を必要としない場合と、営業店舗の遊技機島と同様に上架板を設けている場合があり、後者は営業店舗と同様に上架板に通過穴を形成する必要がある。（特許文献２、特許文献４）【０００６】  遊技機島の上架板を金属製として、遊技機の取り付け装置を遊技機島の設計段階で織り込んだ場合に於いても押圧部材の通過穴は同様に必要となる。（特許文献１）また、押圧部材を上架板に通過させるには、上架板の後端部を切欠加工することも考慮できる（特許文献５）
【先行技術文献】
【特許文献】
【０００７】
【特許文献１】特許第２５２８０４６号（図６）
【特許文献２】特許第４４９１３８３号（図４、図６）
【特許文献３】特許第４５１４１５８号（図１２）
【特許文献４】特開２００９−１６５７５９号（請求項１、図７）
【特許文献５】特開２００６−３１４６５３号（図８）
【発明の概要】
【発明が解決しようとする課題】
【０００８】  この発明が解決しようとする課題は、遊技機島の上架板に穴や切り欠き等の加工をしなくとも、押圧部材で遊技機の枠上板を押圧して遊技機を遊技機島に堅固に取付けることにある。遊技機島の上架板は、特別に設計変更する以外は厚み２０ミリ前後、取付け有効巾７０ミリ〜８０ミリと規格化されており、また、押圧部材は遊技機の装着枠が動かないように押圧するにはある程度の接触面積を必要とするため、結果として通過穴や切欠きの範囲が大きくなり上架板の強度、ひいては遊技機島の強度を損なう原因となっている。これらの加工も特に営業中の店舗で行う場合は工事の難度が増加して工事がコスト高になっていた。【０００９】  また、遊技機島の上架板の後端を切り欠いて、この切り欠き内に押圧部材が通過するようにした場合、遊技機の装着枠の枠上板の前後巾の規格寸法は最大７０ミリ、最小で５０ミリ程度で巾の狭い場合は枠上板の後端は２０ミリ前側となり、この巾の狭い場合の枠上板を確実に固定するには遊技機島の上架板の切り欠きは通常よりさらに前側に切り欠く必要がある。遊技機島の上架板の取付け有効部（板水平の箇所）は後端より７０ミリ〜８０ミリで規格化されているので、上記の切り欠きは上架板の巾の半分もしくはそれ以上となり、遊技機島全体の強度劣化の原因となる。（特許文献５）【００１０】  また、遊技機島の上架板の下面と遊技機の装着枠の枠上板の上面との間隙は、遊技機の重量等の原因で設計時の基準間隙の３ミリより広がる範囲でバラツキがあり、押圧部材の押圧時の下死点の高さを一定とした装置では、装着枠の枠上板が同じ力で押圧されないので遊技機の取付け状態が一定とならず取付け不良の原因となっている。また、下死点の高さ調整ができる装置を設けた場合、間隙の大小で一台ごとに調整しなければならず取付け作業に時間がかかる。（特許文献２）（特許文献３）（特許文献４）【００１１】  また、遊技機の装着枠の枠上板は、木もしくは比較的薄い厚みの金属であるので、上面を押圧して固定する場合撓んで固定状態が不安定になり、極端な場合は枠上板の下面に支持部材を設けるものもあった。これを防ぐには枠上板の左右の端箇所の枠縦部材の上端を押すことができればこの問題は解決できる。しかし装置自体の巾に比較して押圧部材の巾は制限があるので、該箇所を押圧することは難しくさらに取付け装置の上記の取り付け箇所に障害物がある場合はできないものであった。【００１２】  また、従来の押圧部材の通過穴や切り欠きは前記の遊技機島の強度が劣化するため、大きく形成できないので押圧面も小さな面積に限定され、結果として装着枠の固定力が弱いので木製の被押圧面に喰い込む突起を形成している。この突起は装着枠が金属製の場合は喰い込むことができないので、装着枠の固定状態の信頼性が劣る。【００１３】  また、押圧部材が弾機的に装着枠の枠上板を押圧するのではなく、押圧位置が固定している装置では、遊技機島に遊技機が長期間取付けられたままの場合、装着枠の撓みや遊技機自体の振動等で遊技機の取付けが緩み、点検時の開閉で遊技機島から外れる場合がある。【００１４】  また、遊技機を遊技機島に取付ける場合、装着枠の後端を規制部材に押し付けて行わないと入れ替え前の遊技機���傾きと同様の傾きにならないため、取付けにあたっては遊技機の前面の上部を押付けながら行う必要があり一人で行う作業としては無理があった。
【課題を解決するための手段】
【００１５】この発明によれば、遊技機島の上架板と下架板間の区画内に遊技機を配置して、遊技機に備えられた装着枠の枠上板の上面を押圧して遊技機を遊技機島に取付ける遊技機の取付け装置であり、遊技機を遊技機島の区画内の下架板上に載置した状態で、遊技機島の上架板と遊技機の装着枠の枠上板との間隙内に設けた押圧板と、この押圧板の後端側を支点として先端部を降下して装着枠の枠上板を押圧する押圧手段と、遊技機の装着枠の枠上板の後端部に当接して遊技機の後方への移動を規制する規制手段とで構成し、押圧手段を操作して押圧板で遊技機の装着枠の枠上板を押圧して遊技機を遊技機島に固定する遊技機の取付け装置を提供した。【００１６】  上記の押圧板は、弾性板とした。【００１７】  上記の押圧板は、押圧面に滑り止めを設けた。【００１８】  上記の押圧板は、先端部の下面をテーパー状とした。【００１９】  上記の押圧手段は、上下位置調整手段を介在して押圧板に係合し、押圧板は遊技機島の上架板と遊技機の装着枠の枠上板との間隙内で上下位置を調整自在とした。【００２０】  上記の押圧板は、先端部を遊技機島の上架板の下面に弾機的に当接した状態で、遊技機の遊技機島への取付けの待機をするようにした。【００２１】  上記の押圧手段は、遊技機島の上架板の上面に固定したケース本体と、ケース本体に枢着し下端部を押圧板の後端に設けた支点部材に係合した腕板と、ケース本体に回転自在に架設し腕板の上端部と係合するナット部材を螺合し一端部に操作部を形成した螺子とで構成し、操作部を回転し押圧板の先端部を降下して遊技機を遊技機島に固定するようにした。【００２２】  上記の押圧手段は、遊技機島の上架板の上面に固定したケース本体と、ケース本体に枢着し下端部を押圧板の後端に設けた支点部材に係合した腕板と、ケース本体に軸方向に弾機的にスライド自在に架設し腕板の上端部と係合する係合部を備え一端部にはカムローラーを回転自在に設けたスライドシャフトと、前記カムローラーに係合し操作部を備えたカムとで構成し、操作部を上下操作し押圧板の先端部を降下して遊技機を遊技機島に固定するようにした。【００２３】  上記の操作部は、遊技機島の前面で開閉板を有する点検開口部に臨ませた。【００２４】  上記の操作部は、遊技機島の前面板に開口を形成して、この開口より操作するようにした。【００２５】  上記の規制手段は、遊技機の前後方向に移動自在として遊技機の傾きを調節できるようにした。【００２６】  以上の解決手段によって上記の課題が解決される。
【発明の効果】
【００２７】  この発明は、上記のように構成したので遊技機島の上架板と遊技機の装着枠の枠上板との間隙内に設けた押圧板が、この先端部から順次に遊技機の装着枠の枠上板を押圧して遊技機を遊技機島に堅固に取付けるので、遊技機島の上架板に押圧部材が移動する通過穴や切り欠きを形成することがなく、また遊技機島の上架板の強度の減少や遊技機島の上架板の加工等を原因とする装置自体の取付け作業の難度が解消できる。【００２８】  また、遊技機島の上架板に穴や切り欠きを形成する必要がないので、押圧板を大面積で形成して押圧力を強くでき、特に装着枠の枠上板の左右の端に対応する遊技機島への該装置の取付け箇所に障害物があっても押圧板の巾を広くすることで枠上板の枠縦部材との対応箇所を押圧することができ枠上板の撓み等の問題に関係なく堅固に固定できる。
また、押圧板は弾性作用によって遊技機島の上架板と遊技機の装着枠の枠上板との間隙の大小に関係なく枠上板を押圧するので遊技機は遊技機島に堅固に固定され、上記の間隙量に変化が生じても固定状態に影響を受けない。また、遊技機を長期間取付けたままの状態に起因する装着枠の撓みや、遊技機自体の振動による取付け箇所の緩み等は押圧板の弾性によって吸収するので、遊技機は長期間取付けたままでも開閉時に外れたりすることがない。【００２９】  また、押圧板は下面に設けた滑り止めによって上記の弾性作用との相乗効果で、装着枠が金属性の場合においても木製と同様に堅固に固定することができる。【００３０】  また、押圧板は遊技機島の上架板と装着枠の枠上板との間隙内で上下に移動できるようにしたので、上架板の厚みや上記の間隙の大小に対応させて上下に移動することで枠上板を一定の押圧力で押圧でき、枠上板の厚みや間隙の大小で遊技機の固定状態に影響を及ぼさない。【００３１】  また、押圧板は先端部の下面をテーパー状とし、装着枠の取付け待機時にはこの先端部を遊技機島の上架板の下面に弾機的に当接した状態としたので、装着枠の装着時、即ち遊技機の取付け時に押圧板が装着枠の装着の邪魔となることが無く、且つ装着枠の固定前の段階で仮止めの作用が営まれる。【００３２】  また、押圧板は押圧手段で遊技機の装着枠の枠上板の後端側を支点として先端部を降下して装着枠の枠上板を押圧するので、枠上板は遊技機島の下架板方向に押圧されて固定される過程で、枠上板の後端部方向にも押圧されて後端部を規制手段で位置決めされる。よって遊技機は遊技機島への取付け作業において、前面の上部を後方へ押し付けて行うような無理な作業をすることが無く、遊技機の傾きも入れ替え前の遊技機と略同様の傾きとして取付けすることができる。【００３３】  また、押圧板は螺子を利用した押圧手段で所定の圧力にいたるまで枠上板を連続的に押圧するので、遊技機島の上架板と装着枠の枠上板の間隙の距離に関係無く装着枠を堅固に固定することができる。【００３４】  また、カムを利用した押圧手段で枠上板を押圧するものは押圧操作が短時間で簡単に行える。【００３５】  また、操作部は遊技機島の点検開口部もしくは遊技機島の前面板の開口に設けたので、遊技機の取付け操作が遊技機の前面側より行える。【００３６】また、遊技機の取り付けにあたり規制手段によって遊技機の傾きを調整することができる。
【図面の簡単な説明】
【００３７】
【図１】この発明の一実施例を示す遊技機島の正面図
【図２】遊技機と装着枠の開閉状態を示す斜視図
【図３】遊技機の取付け装置を設置した遊技機島の断面図
【図４】同上、遊技機の取り付け装置の断面図
【図５】遊技機の取り付け装置の押圧手段の動作を示す断面図
【図６】図４の遊技機の取付け装置の一部切り欠き右側面図
【図７】遊技機の取り付け装置の分解斜視図
【図８】押圧板の上下移動状態を示す断面図
【図９】押圧板の待機状態を示す断面図
【図１０】押圧板の押圧状態を示す断面図
【図１１】遊技機の装着枠の枠下板の取付け状態を示す断面図
【図１２】同上、他の実施例図
【図１３】同上、他の実施例図
【図１４】遊技機島の他の実施例を示す正面図
【図１５】同上、断面図
【図１６】押圧手段の他の実施例を示す断面図
【図１７】同上、作用状態図
【図１８】同上、分解斜視図
【図１９】カムの他の実施例を示す断面図
【図２０】規制手段の他の実施例を示す断面図
【図２１】同上、要部断面図
【発明を実施するための形態】
【００３８】  この発明を図面に基づいて説明する。
【００３９】  この発明の遊技機の取付け装置Ａは図１で示した遊技機島４の区画７に対応し左右一対として上架板５に取付けられている。遊技機島４はこの上架板５と下架板６と通常サンドと称する玉供給用のケース等を含む縦部材７で区画Ｃが形成されている。この区画Ｃに遊技機１が配置されて使用に供する。
【００４０】  遊技機１は図２で示したように装着枠２がヒンジ構造３を介して機体の裏側に閉じた状態で上記の区画Ｃ内に取付けられる。区画Ｃ内に配置された遊技機１は図３で示したように装着枠２の枠下板９が下架板６上に載置され且つ、枠上板８が上架板５の下方で適宜な間隙Ｂを保持して対向するようにして装着枠２が取付けられ、結果として遊技機１が遊技機島４に開閉自在として取付けられる。
【００４１】  この発明の取付け装置Ａは装着枠２の上部の取付け、即ち枠上板８に対する取付け装置に関するもので、一方、枠下板９の取付けは、釘やビスもしくは図１１に示した螺子による取り付け装置（特開２０１１−２４９７９）または図１２で示したトグルクランプによる取り付け装置（特開２００９−１４８４８６）さらには図１３で示したように枠下板９の後端部の後退のみを規制する後退規制装置等、枠下板９の固定手段は特に限定するものではない。また、この取付け装置Ａは枠上板８を下方に押圧して固定するものであるので、下架板６上にゴム等の滑り止め（図示せず）を設けて接触抵抗を大きくして固定する手段も考えられる。
【００４２】  上架板５と枠上板８の間隙Ｂは装着枠２が自在に出入りできるように設計時には３ｍｍ程度の間隔が保たれているが、長期間の使用による遊技機４の荷重でこの間隔は大きくなる。この取り付け装置Ａは上記の間隙Ｂ内に押圧板１０を配置してこの枠上板８の上面を押圧して装着枠２を固定するものである。しかしながら押圧板１０は装着枠２の出入りの邪魔にならない１ｍｍから２ｍｍ程度の厚みに限定される上に、押圧板１０を単に水平降下させて枠上板８を押圧しても、押圧板１０の先端部が枠上板８の上面より上方に反り上がり後端部のみが枠上板８の後端部上面を押圧することになる。この不安定な取付け状態では高重量の遊技機１を堅固に固定することはできないので、遊技機１を前方に開いて遊技機１の左側上部の取付け部に全体の荷重が掛かると、枠上板８の上面の前側が押圧板１０で押圧されていないため前方に動いて遊技機１は脱落する。
【００４３】  また、枠上板８の規格巾は７０ｍｍであるが特殊な場合は５０ｍｍ程度の物もあり、枠上板８は前端の位置を基準として取り付けられるため巾が狭い場合、押圧板１０の後端側より離れた箇所で押圧することになり遊技機１の固定状態は、尚一層悪くなる。この取付け装置Ａは上記の観点より押圧板１０をこの後端側を支点として先端側が降下するようにして枠上板８の上面を押圧するようにしたものである。
【００４４】  図３より図７で示した取付け装置Ａは、遊技機島４の上架板５と遊技機１の装着枠２の枠上板８との間隙Ｂ内に設けた押圧板１０と、上下位置調整手段１１を介して押圧板１０を設けた押圧手段１２と、規制手段３６とで構成している。
【００４５】  上記の押圧手段１２は、上架板５の上面に固定したケース本体１３と、ケース本体１３に枢着し上端部を螺子１４に螺合したナット部材１５に係合し、下端部を支点部材１６と係合した腕板１７と、ケース本体１３に枢着し下端部を上下位置調整手段１１を介して押圧板１０の後端部に接続した上記の支点部材１６とで構成している。
【００４６】  押圧板１０は図７に示したように、後端側１８の上面に取付け金具１９を固定している。取付け金具１９は凸形状の基底部２０を、螺子穴２１と押圧板１０の取付け穴２２を介して螺子２３で押圧板１０に止着している。
【００４７】  支点部材１６は、下端部に取付け金具１９の頭部２４を上下方向スライド自在に収容する収容部２５を形成し、一対の立上り板２６に設けた軸穴２７、２８に頭部を径大とした支軸２９、３０を挿通している。支軸２９は立上り板２６より突出した個所のピン穴３１にピン３２を嵌入して脱落を阻止され、支軸３０はケース本体１３の内側に立上り板２６を臨ませた状態で、ケース本体１３の軸穴３３および立上り板２６の軸穴２８に挿通してこの突出個所のピン穴３４にピン３５を嵌入して支点部材１６をケース本体１３に揺動自在に取付けている。
【００４８】  支点部材１６の収容部２５の天井個所には軸穴３７を備えた天板３８が一体に形成され、この軸穴３７には調整螺子３９の径小な空転部４０を回転自在に挿入し、天板３８より突出した個所のピン穴４１にピン１０９を嵌入して調整螺子３９は収容部２５内で回転自在に設けられている。取付け金具１９の凸形状の頭部の穴４２ａの下面には上記の調整螺子３９と螺合するナット４２が固着されているので、取付け金具１９を上記の収容部２５内に入れて調整螺子３９の下端の６角穴４３を押圧板１０の穴４４よりレンチで回すことで、取付け金具１９は収容部２５内で回転を規制されて上昇して押圧板１０を上昇および下降する。押圧板１０の間隙Ｂ内での上下位置調整手段１１は上述の構成で営まれる。
【００４９】  ケース本体１３は、下端部の水平取付け部４５を上架板５上に配置し、一体の垂下部４６が上架板５の後端に当接した状態で、上架板５の下側より先端に螺子形成機能を有するビス４７で上架板５を貫通しさらに水平取付け部４５の止着穴４８に螺子を切りながら貫通してケース本体１３を堅固に固定する。
【００５０】  ケース本体１３には両側にカム４９を一体に形成したナット部材１５を螺合した螺子１４が回転自在に架設されている。螺子１４は前端部に形成した径小な空転部５０をケース本体１３の軸穴５１に挿通し、後端の径小部５２を支持板５３の軸穴５４に回転自在に挿入しナット部材１５の回転を規制した状態で、空転部５０より連続形成した６角の操作部５５をレンチ等で回すと、ナット部材１５は螺子１４の軸方向に移動する。支持板５３は取付け穴５６を形成した両側の取付け部５７をケース本体１３の外側に臨ませ、この取付け穴５６とケース本体１３の螺子穴５８によって螺子５９で止着する。
【００５１】  一対の腕板１７は接続部６０で一体に形成され、上下端部にカム溝６１、６２が、一方中央個所に軸穴６３が設けられている。この腕板１７を本体ケース１３内に装置して、頭部を径大とした支軸６４を軸穴６３およびケース本体の軸穴６５に挿通しケース本体１３の突出個所のピン穴６６にピン６７を嵌入することで、腕板１７はケース本体１３内で支軸６４を支点として規制される範囲で回転できる。カム溝６１をナット部材１５のカム４９に係合し、カム溝６２を支点部材１６の支軸２９に係合して上記の操作部５５を回すとナット部材１５の移動にともなって支点部材１６に設けた押圧板１０は後端側を支点として先端が降下もしくは上昇する。
【００５２】  上記の規制手段３６は、本体ケース１３に固着され螺子穴１１０を備えた案内板６８と、この案内板６８に上下方向に移動自在に案内される上部取付け部６９に螺子穴１１０と対応する長穴７０を形成し、下部に固着したナット７１と連続した通過穴７２を設けた規制板７３と、ナット７１に螺合し先端に位置決め部７４を形成した調整ボルト７５とで構成している。規制板７３は上部取付け部６９を案内板６８の曲折部７６内に入れて長穴７０を介して螺子７７で螺子穴１１０に止着され、ナット７１に調整ボルト７５を螺入した状態で螺子７７の止着操作で調整ボルト７５の上下位置を長穴７０の範囲で調整できる。
【００５３】  上記の取付け装置Ａによって遊技機４を取付けるには、操作部５５を回して押圧板１０を図８で示したように間隙Ｂ内で水平の姿勢とし、ついで押圧板１０の下側より調整螺子３９を回して上架板５の下面方向に上昇させる。このさい押圧板１０は図９で示したように上架板５の下面より多少間隔Ｄを保持して上下の位置決めをし、次いで操作部５５を押圧板１０の先端が上昇する向きに回転して先端部を上架板５の下面に押圧当接する。押圧板１０は先端部の下面をテーパー状７８としているので、上記の待機状態で遊技機島４の区画Ｃに遊技機１の装着枠２が導入される際に枠上板８が押圧板１０の先端にぶつかっても押圧板１０の先端部が下がって装着の障害となることが無く、さらにテーパー状７８の案内でスムーズに押圧板１０の下側に導入される。
【００５４】  次に遊技機１を装着枠２が備えられた状態で区画Ｃ内に導入する。この際に枠上板８は後端を調整ボルト７５の位置決め部７４に当接して後方の移動を規制される。調整ボルト７５は枠上板８の上下位置に対応して螺子７７の操作で上下位置を調整する。遊技機１は上部が後方に傾いた姿勢で遊技機島４に取付けられるものであり、この傾きは調整ボルト７５を回して事前に設定する。
【００５５】  次に操作部５５を押圧板１０の先端部が下降する向きに回して、図１０で示したように押圧板１０の下面で先端部より順次に枠上板８を押圧して装着枠２を堅固に固定する。この時押圧板１０の先端部は後方に移動しながら枠上板８を降下押圧するので枠上板８は同様に位置決め部７４を押圧して位置決めされる。操作部５５は電動ドライバーもしくは手動レンチ等で操作するが、締め付けトルクを設定することで装着枠２の固定力を一定とすることができる。また、万が一取り付けが緩んだ場合は操作部５５を締め直すことで遊技機のガタ付を解消できるが、押圧板１０の下面にゴムを焼付け加工したり凹凸面の形成および滑り止めテープの貼り付け等滑り止め７９を形成して固定を堅固にする。また装着枠２の枠上板８の被押圧面が金属面である場合、該箇所にアルミテープや両面粘着テープもしくは滑り止めテープを貼り付けることで、遊技機１の取付け状態を尚いっそう堅固にすることができる。
【００５６】  操作部５５は図３で示したように遊技機島４の前面の点検開口８０に臨ませ、この開閉板８１を開いて遊技機島４の前側から上記の取付け作業を行う。従ってこの取り付け装置Ａでは遊技機１を装着枠２が取付いた状態で区画Ｃに入れて取付け作業を行うことができる。
【００５７】  図１４と図１５は遊技機島４の点検開口８０が玉箱置８２の上部にあるものを示し、この場合は操作部５５に対応する前面板８３に開口８４を穿けて操作できるようにする。開口８４には営業時にはキャップ８５を嵌めて部外者の操作を防止する。
【００５８】  図１６から図１９は押圧手段１２の他の実施例を示している。ケース本体１３に架設されカム８６よりなる係合部８７を有するスライドシャフト８８は両端部を軸穴８９、９０、１０８に挿通してケース本体１３およびケース本体１３に固着した支持板９１にバネ９２を介して弾機的に摺動自在に設けられている。このスライドシャフト８８はケース本体１３に固着した一方の支持板９３側の突出端に支軸９４でカムローラー９５を枢支している。カム８６は腕板１７のカム溝６１に係合している。カムローラー９５には支持板９３の軸穴９６で支持された支軸９７で回転自在としたカム９８が係合し、カム９８の操作部９９を図１７に示したように操作して腕板１７の上端部を支軸６４を支点として移動させて遊技機１の取付けを行う。支持板９１と９３は螺子１００、１０１および止着穴１０２、１０３、１０４によってケース本体１３に止着している。図１９はカム９８の他の実施例を示している。カム９８は円形として偏芯個所に支軸９７が設けられ、操作部９９を操作した場合カムローラー９５を連続的に押圧するので、図１７の実施例に比較して押圧板１０の押圧力が限定されない。
【００５９】  図２０と図２１は規制手段３６の他の実施例を示し、規制手段３６が押圧板１０と一体としたものを例示している。押圧板１０の下側に螺子１０５で支持板１０６を止着し、挿通穴１０７を有する立下り部１１１にナット１１２を固着している。ナット１１２に調整ボルト７５を螺入して装着枠２の後方の位置決めを行う。
【産業上の利用可能性】
【００６０】  この発明の遊技機の取り付け装置はパチンコ台の取付け以外にスロットマシーンの取付けにおいても同様に利用できる。
【符号の説明】
【００６１】  Ａ・・・取付け装置
Ｂ・・・間隙
Ｃ・・・区画
１・・・遊技機
２・・・装着枠
４・・・遊技機島
５・・・上架板
６・・・下架板
７・・・縦部材
８・・・枠上板
９・・・枠下板
１０・・・押圧板
１１・・・上下位置調整手段
１２・・・押圧手段
１３・・・ケース本体
１４・・・螺子
１５・・・ナット部材
１６・・・支点部材
１７・・・腕板
３６・・・規制手段
５５・・・操作部
８０・・・点検開口
８１・・・開閉板
８３・・・前面板
８４・・・開口
８７・・・係合部
８８・・・スライドシャフト
９５・・・カムローラー
９９・・・操作部
【図１】
2012232086.tif 000003
【図２】
2012232086.tif 000004
【図３】
2012232086.tif 000005
【図４】
2012232086.tif 000006
【図５】
2012232086.tif 000007
【図６】
2012232086.tif 000008
【図７】
2012232086.tif 000009
【図８】
2012232086.tif 000010
【図９】
2012232086.tif 000011
【図１０】
2012232086.tif 000012
【図１１】
2012232086.tif 000013
【図１２】
2012232086.tif 000014
【図１３】
2012232086.tif 000015
【図１４】
2012232086.tif 000016
【図１５】
2012232086.tif 000017
【図１６】
2012232086.tif 000018
【図１７】
2012232086.tif 000019
【図１８】
2012232086.tif 000020
【図１９】
2012232086.tif 000021
【図２０】
2012232086.tif 000022
【図２１】
2012232086.tif 000023
【手続補正書】
【提出日】平成23年5月21日(2011.5.21)
【手続補正１】
【補正対象書類名】明細書
【補正対象項目名】００４６
【補正方法】変更
【補正の内容】
【００４６】バネ板等の弾性板の押圧板１０は図７に示したように、後端側１８の上面に取付け金具１９を固定している。取付け金具１９は凸形状の基底部２０を、螺子穴２１と押圧板１０の取付け穴２２を介して螺子２３で押圧板１０に止着している。